(57)【要約】【課題】長さが増加するような場合でも、照度が均一なＣＣＦＬ装置のための浮遊駆動装置を提供する。【解決手段】  ＣＣＦＬ１０１は、電源駆動器により駆動される端点１０３及び１０５を有する。端点１０３は、変圧器１１３に結合されて駆動され、相対する端点１０５は、変圧器１１５に結合されて駆動される。変圧器１１３、１１５は、振幅と周波数が同一であるが、位相は異なり、例えば、位相差は１８０°である。この位相差により、端点１０３と１０５との間に電圧差が生じＣＣＦＬ１０１が発光する。端点１０３及び１０５は、交流電圧により駆動するので、従来のＣＣＦＬ設計で生じる光暗領域が消去される。【選択図】図２Ａ
2006108073.tif 000002
【特許請求の範囲】
【請求項１】
照明用の浮遊駆動装置であって、
第一端と第二端を有する照明ユニットと、
前記照明ユニットの前記第一端に結合され、交流電圧を前記第一端に提供する第一駆動器と、前記照明ユニットの前記第二端に結合され、交流電圧を前記第二端に提供する第二駆動器と、からなり、
前記第一、第二端の交流電圧は位相が不一致であることを特徴とする浮遊駆動装置。
【請求項２】
照明ユニットは、ＣＣＦＬである請求項１に記載の浮遊駆動装置。
【請求項３】
第一駆動器と第二駆動器は、変圧器である請求項１又は請求項２に記載の浮遊駆動装置。
【請求項４】
第一端と第二端の交流電圧は、位相差が１８０°である請求項１〜請求項３のいずれか１項に記載の浮遊駆動装置。
【請求項５】
第一端と第二端の交流電圧は、同一の振幅と周波数である請求項１〜請求項４のいずれか１項に記載の浮遊駆動装置。
【請求項６】
更に、第一駆動器に連結される第三端と、第二駆動器に連結される第四端と、からなる追加の照明ユニットを有する請求項１〜請求項５のいずれか１項に記載の浮遊駆動装置。
【請求項７】
更に、第一駆動器に連結される平衡回路を有し、照明ユニット、及び、追加の照明ユニットに、平衡な出力信号を生成する請求項６に記載の浮遊駆動装置。
【請求項８】
照明ユニットと追加照明ユニットは、ＣＣＦＬである請求項６又は請求項７に記載の浮遊駆動装置。
【請求項９】
第一駆動器と第二駆動器は、変圧器である請求項７又は請求項８に記載の浮遊駆動装置。
【請求項１０】
照明用の浮遊駆動装置であって、
それぞれ第一端と第二端を有し、前記第二端が互いに電気的に接続される複数の照明ユニットと、前記複数の照明ユニットの前記第一端に電気的に接続されて、交流電圧を前記第一端に提供する駆動器と、からなることを特徴とする浮遊駆動装置。
【請求項１１】
照明ユニットは、ＣＣＦＬである請求項１０に記載の浮遊駆動装置。
【請求項１２】
駆動器は、変圧器である請求項１０又は請求項１１に記載の浮遊駆動装置。
【請求項１３】
第一端と第二端の交流電圧は、位相差が１８０°である請求項１０〜請求項１２のいずれか１項に記載の浮遊駆動装置。
【請求項１４】
第一端と第二端の交流電圧は、同一の振幅と周波数である請求項１０〜請求項１３のいずれか１項に記載の浮遊駆動装置。
【請求項１５】
更に、駆動器に連結される平衡回路を有し、複数の照明ユニットに、平衡な出力信号を生成する請求項１０〜請求項１４のいずれか１項に記載の浮遊駆動装置。
【請求項１６】
駆動器は、第一駆動ユニット、及び、前記第二駆動ユニットを含む請求項１０〜請求項１５のいずれか１項に記載の浮遊駆動装置。
【請求項１７】
更に、第一駆動ユニットに連結される第一平衡回路、及び、第二駆動ユニットに連結される第二平衡回路を有し、複数の照明ユニットに、平衡な出力信号を生成することを特徴とする請求項１６に記載の浮遊駆動装置。
【請求項１８】
複数の照明ユニットは、ＣＣＦＬである請求項１７に記載の浮遊駆動装置。
【請求項１９】
第一駆動ユニットと第二駆動ユニットは、変圧器である請求項１７に記載の浮遊駆動装置。
【請求項２０】
照明用の浮遊駆動装置であって、
それぞれ、第一端及び第二端からなる複数の照明ユニットと、
前記複数の照明ユニットの第一端に電気的に接続され、交流電圧を前記第一端に提供する第一駆動器と、
前記複数の照明ユニットの第二端に電気的に接続され、交流電圧を前記第二端に提供する第二駆動器と、
前記第一駆動器に連結され、前記複数の照明ユニットに平衡な出力信号を生成するように調整されたインピーダンスを有する平衡回路と、
からなり、
前記第一端、第二端の交流電圧の位相が不一致であることを特徴とする浮遊駆動装置。
【請求項２１】
平衡回路は、複数の照明ユニットと第一駆動器との間に結合される請求項２０に記載の浮遊駆動装置。
【請求項２２】
平衡回路は、並列コンデンサにより、第一駆動器に連結される請求項２１に記載の浮遊駆動装置。
【請求項２３】
平衡回路は、第一駆動器に並列接続される第一コンデンサ、及び、第二コンデンサを有することを特徴とする請求項２１に記載の浮遊駆動装置。
【請求項２４】
平衡回路は、第一コンデンサ及び第二コンデンサを複数の照明ユニットに連結する、第一インダクタ及び第二インダクタを有する請求項２３に記載の浮遊駆動装置。
【請求項２５】
平衡回路は、第一駆動器に並列接続される第一インダクタ、及び、第二インダクタを有することを特徴とする請求項２１に記載の浮遊駆動装置。
【請求項２６】
平衡回路は、更に、第一コンデンサ及び第二コンデンサを複数の照明ユニットに連結する、第一インダクタ及び第二インダクタを有する請求項２５に記載の浮遊駆動装置。
【請求項２７】
第一駆動器は、複数の照明ユニットと平衡回路との間に結合される請求項２０に記載の浮遊駆動装置。
【請求項２８】
平衡回路は、インダクタ及びコンデンサを有し、前記コンデンサは、第一駆動器と前記インダクタとの間に結合される請求項２７に記載の浮遊駆動装置。
【請求項２９】
平衡回路は、第一駆動器に並列接続される、第一インダクタ及び第二インダクタを有する請求項２７に記載の浮遊駆動装置。
【請求項３０】
平衡回路は、更に、第一駆動器と、第一インダクタ及び第二インダクタとの間でそれぞれ結合される、第一コンデンサ及び第二コンデンサを有する請求項２９に記載の浮遊駆動装置。
【発明の詳細な説明】
【技術分野】
【０００１】
本発明は、フラットパネルディスプレイ装置に関するものであって、特に、液晶ディスプレイと共に使用する冷陰極蛍光ランプのバックライト装置に関するものである。
【背景技術】
【０００２】
液晶ディスプレイ（ＬＣＤ）は、テレビ、コンピュータ、その他のビデオディスプレイ装置で使用され、所定イメージを生成し光伝達を制御してビデオディスプレイを生成する。ＬＣＤは、解像度、カラーイメージディスプレイ、及び、イメージ品質が優れていることから、特に、フラットパネルディスプレイ装置に適している。
【０００３】
ところで、ＬＣＤにおいては、液晶自身が光源を放出しないことから、その背面に、バックライトモジュールが通常使用されている。冷陰極蛍光ランプ（ｃｏｌｄ  ｃａｔｈｏｄｅ  ｆｌｕｏｒｅｓｃｅｎｔ  ｌａｍｐ：以下、ＣＣＦＬと称する。）は、特に、バックライトモジュールを要する薄膜トランジスタ（ｔｈｉｎ-ｆｉｌｍ  ｔｒａｎｓｉｓｔｏｒ：ＴＦＴ）液晶ディスプレイパネルに適する。
【０００４】
ディスプレイ装置においてパフォーマンス及び品質を最適化するためには、照明が充分で、均一であることが要求される。不均一な照明は、表示イメージの品質を低下させる。近年、ビデオディスプレイの技術開発の向上により、大型液晶ディスプレイ、及び、その他のビデオディスプレイの開発が可能となっているが、ディスプレイサイズが更に大きくなると、均一的な照度のディスプレイ装置を設計するための研究や重要性もそれに伴って大きくなる。特に、更に大画面ビデオディスプレイを製造する際、照度が均一なＣＣＦＬバックライト装置を提供することが、特に、重要であり困難性を有する。
【０００５】
ＬＣＤパネル後方に設置される公知のＣＣＦＬは、基本的に、変圧器に連結される一端を有し、変圧器がＣＣＦＬを駆動して発光させる。ＣＣＦＬの相対する一端は、接地される。図１は、公知のＣＣＦＬ駆動装置を示す図である。図１で示されるように、ＣＣＦＬ１は、変圧器７に連結される第一端９を有し、相対端１１は接地１３に結合される。変圧器７は、高電圧信号を第一端９に提供して、ＣＣＦＬ1を駆動する。ＣＣＦＬ1は長さ３を有する。更に大きいビデオディスプレイを提供する技術が要求されるに伴い、長さ３は増加し、ＣＣＦＬ１の長さ３は、電圧降下（ｖｏｌｔａｇｅ  ｄｒｏｐ）を生じる。特に、長さ３が増加する時、温度計効果（ｔｈｅｒｍｏｍｅｔｅｒ  ｅｆｆｅｃｔ）は、第一端９に提供される高電圧の消耗を生じ、接地される相対端１１は、ＣＣＦＬ１の辺縁１５に近接する部分で低電圧となる。これにより、照明の不均一が生じることとなる。このように、図１の公知の方式を使用したＣＣＦＬの欠点は、電圧降下による不適当な光暗領域５を生じることである。特に、長さ３が約３０インチ、或いは、それ以上である場合、光暗領域５のような光暗領域が常に出現する。
【発明の開示】
【発明が解決しようとする課題】
【０００６】
従って、その長さが増加するような場合でも、照度が均一なＣＣＦＬ装置を提供することが必要である。そこで、本発明は、照明用の浮遊駆動装置を提供し、この問題を改善することを目的とする。
【課題を解決するための手段】
【０００７】
本発明の照明用の浮遊駆動装置は、第一端と第二端を有する照明ユニットと、
前記照明ユニットの前記第一端に結合され、交流電圧を前記第一端に提供する第一駆動器と、前記照明ユニットの前記第二端に結合され、交流電圧を前記第二端に提供する第二駆動器と、からなり、前記第一、第二端の交流電圧は位相が不一致であることを特徴とするものである。
【発明の効果】
【０００８】
本発明では、浮遊駆動回路を単数又は複数の並列されたＣＣＦＬに使用し、従来技術の欠点を克服するものである。本発明では、ＣＣＦＬの相対する端点は、位相が異なる交流電圧が提供される。この方式によると、電位差がＣＣＦＬ全体で維持され、ＣＣＦＬの長さが長くても、且つ、ＣＣＦＬのどの場所であっても、照度強度が均一な光源を提供できる。一つ、或いは、複数の変圧器が、ＣＣＦＬの相対する両端に提供されて、このような交流電圧を提供する。本発明は、一つ以上のＣＣＦＬを連結させつつ簡潔な配列を提供することができる。また、平衡回路により、平衡な出力電流をＣＣＦＬに提供することが出来る。この他、平衡回路の設計により、複数のＣＣＦＬの個々の端点では、平衡になった出力電流を受けることがきる。
【発明を実施するための最良の形態】
【０００９】
図２Ａは、本発明の実施例によるＣＣＦＬの浮遊駆動装置を示す図である。ＣＣＦＬ１０１の形態、外形、及び、寸法等は市販のＣＣＦＬと同等である。ＣＣＦＬ１０１は、両端点から異なる電源駆動器により駆動される端点１０３及び１０５を有する。端点１０３は、変圧器１１３に結合されて駆動され、相対する端点１０５は、変圧器１１５に結合されて駆動される。変圧器１１３、１１５は、二つの巻き線を含むように表示されているが、その他の種類の変圧器、或いは、各種の電源駆動素子も、本実施例に応用することができる。例えば、変圧器は、コイルが巻かれた鉄又はスチールのコアを有する。隔たれた変圧器１１３及び１１５は、ＣＣＦＬ１０１の相対する両端に用いられるので、隔たれた回路板に設置され、対応する端点１０３、１０５に近接する。
【００１０】
変圧器１１３及び１１５は、ＣＣＦＬ１０１を駆動し、ＣＣＦＬを発光させる。本実施例中、変圧器１１３、１１５は、同一の電圧ＡＣ波形（振幅と周波数が同一）により、ＣＣＦＬ１０１の相対する端点１０３、１０５を駆動するが、位相は異なる。例えば、変圧器１１３、１１５により提供される駆動信号は、振幅と周波数が同一であるが、位相は完全に不一致、例えば、位相差は１８０°である。この位相差は、端点１０３及び１０５間に電圧差を生じさせるので、ＣＣＦＬ１０１を駆動して発光させる。この他、端点１０３及び１０５は、交流電圧により駆動するので、従来のＣＣＦＬ設計で生じる光暗領域が消去される。
【００１１】
図２Ｂは、本発明のもう一つのＣＣＦＬ浮遊駆動装置の実施例を示す図である。図中、二つのＣＣＦＬ１１７、１１９が、二つの変圧器１２１、１２２間に結合される。変圧器１２１は、交流電圧をＣＣＦＬ１１７の端点１２３及びＣＣＦＬ１１９の端点１２５に提供する。同様に、変圧器１２２は、交流電圧をＣＣＦＬ１１７の端点１２７、及び、ＣＣＦＬ１１９の端点１２９に提供する。変圧器１２１、１２２が提供する交流電圧は、振幅、及び、周波数が同一であるが、位相は異なる。例えば、二つの交流電圧は、位相差が１８０°である。上記と同様の理由によって、ＣＣＦＬ１１７及び１１９は、効果的に、温度計効果を予防する。ＣＣＦＬ１１７及び１１９は、二つの変圧器１２１、１２２の間に結合されるので、このような配置により、図２Ａより更に明るい光源を生成することが出来る。
【００１２】
図２Ｃは、本発明のもう一つのＣＣＦＬ浮遊駆動装置の実施例を示す図である。ＣＣＦＬ１３１の端点１３３とＣＣＦＬ１３７の端点１３５とが接続されている。ＣＣＦＬ１３１の端点１３９及びＣＣＦＬ１３７の端点１４１は、交流電圧を両端に提供する変圧器１４３に連結される。上述と同様、この箇所の交流電圧は、振幅、及び、周波数は同一であるが、位相は異なる。これにより、ＣＣＦＬ１３１、１３７は、効果的に温度計効果を予防する。二つのＣＣＦＬ１３１、１３７はＵ字型に配置されるので、一つの変圧器１４３を使用するだけで、二つのＣＣＦＬを駆動することができ、更に簡潔な構造が達成される。
【００１３】
図２Ｄは、本発明のもう一つのＣＣＦＬ浮遊駆動装置の実施例を示す図である。ＣＣＦＬ１４４の端点１４５とＣＣＦＬ１４９の端点１４７が接続されている。ＣＣＦＬ１４４の端点１５１は、変圧器１５３に連結され、ＣＣＦＬ１４９の端点１５５は、変圧器１５７に連結される。変圧器１５３、及び、１５７は、交流電圧を端点１５１、１５５に提供し、この場所の交流電圧は、振幅、及び、周波数は同一であるが、位相は異なる。同様の理由で、ＣＣＦＬ１４４、１４９は、効果的に、温度計効果を予防する。
【００１４】
図３Ａは、本発明のもう一つの実施例による平衡回路を含むＣＣＦＬ浮遊駆動装置を示す図である。ＣＣＦＬ浮遊駆動装置は、並列接続されたＣＣＦＬ２０３及び２０５を駆動する平衡回路２０１からなる。ＣＣＦＬ２０３及び２０５のそれぞれの端点は、異なる変圧器により駆動される。ＣＣＦＬ２０３の端点２０７は、変圧器２０９により駆動され、相対端２１１は、変圧器２１３により平衡回路２０１を通じて駆動される。ＣＣＦＬ２０５の端点２１５は、変圧器２０９により駆動され、相対端２１７は、変圧器２１３により平衡回路２０１を通じて駆動される。平衡回路２０１は、変圧器２１３により端点２１１及び２１７に送られる交流電流を平衡にする。平衡回路２０１は、既知の回路設計を使用して完成することができる。各種インダクタとコンデンサは異なる配置にして適切な平衡回路を提供する。平衡回路２０１により、一つの変圧器は、複数のＣＣＦＬを駆動することができ、これにより簡潔で経済的なＣＣＦＬの浮遊駆動装置を設計することが出来る。
【００１５】
図３Ｂは、本発明のもう一つのＣＣＦＬ浮遊駆動装置の実施例を示す図で、並列接続されたＣＣＦＬ２２３、２２５、２２７、２２９を駆動する平衡回路２１９、及び、２２１からなる。ＣＣＦＬ２２３の端点２３１は、ＣＣＦＬ２２５の端点２３３及び変圧器２３５に連結される。ＣＣＦＬ２２７の端点２３７は、ＣＣＦＬ２２９の端点２３９及び変圧器２３５に連結される。平衡回路２１９は、変圧器２４１をＣＣＦＬ２２３の端点２４３及びＣＣＦＬ２２５の端点２４５に連結する。平衡回路２２１は、変圧器２４１をＣＣＦＬ２２７の端点２４７及びＣＣＦＬ２２９の端点２４９に連結する。平衡回路２１９及び２２１は、変圧器２４１から端点２４３、２４５、２４７、及び、２４９に送る交流電流を平衡にする。ＣＣＦＬ２２３、２２５、２２７、及び、２２９のそれぞれの相対端が受信する電圧は、振幅、及び、周波数が同一で、位相が異なるように設計できる。例えば、それぞれの端点は、１８０°の位相差にすることで、温度計効果を消去する。平衡回路２１９及び２２１により、一つの変圧器は、複数のＣＣＦＬを駆動することが出来、これにより簡潔で経済的なＣＣＦＬの浮遊駆動装置を設計することが出来る。
【００１６】
図３Ｃは、本発明のもう一つのＣＣＦＬ浮遊駆動装置の実施例を示す図で、並列接続されたＣＣＦＬ２５５、２５７、２５９、２６１を駆動する平衡回路２５１及び２５３からなる。端点２６３、２６５、２６７、及び、２６９は共に連結される。平衡回路２５１は、変圧器２７１をＣＣＦＬ２５５の端点２７３、及び、ＣＣＦＬ２５７の端点２７５に連結する。平衡回路２５３は、変圧器２７１をＣＣＦＬ２５９の端点２７７、及び、ＣＣＦＬ２６１の端点２７９に連結する。平衡回路２５１、及び、２５３は、変圧器２７１から端点２７３、２７５、２７７、及び、２７９に送る交流電流を平衡にする。よって、単一の変圧器２７１は、複数のＣＣＦＬ２５５、２５７、２５９、及び、２６１を駆動することが出来、これにより簡潔で経済的なＣＣＦＬの浮遊駆動装置を設計することが出来る。
【００１７】
図３Ｄは、本発明のもう一つのＣＣＦＬ浮遊駆動装置の実施例を示す図で、並列接続されたＣＣＦＬ２８５、２８７、２８９、２９１を駆動する平衡回路２８１、及び、２８３からなる。端点２９３、２９５、２９７、及び、２９９は共に連結される。平衡回路２８１は、変圧器３０１をＣＣＦＬ２８５の端点３０３、及び、ＣＣＦＬ２８７の端点３０５に連結する。平衡回路２８３は、変圧器３０７をＣＣＦＬ２８９の端点３０９、及び、ＣＣＦＬ２９１の端点３１１に連結する。変圧器３０１の一端点３１０は平衡回路２８１に接続され、もう一端点３１１は接地に接続される。同様に、変圧器３０７の一端点３１３は、平衡回路２８３に接続され、もう一端点３１５は接地に接続される。平衡回路２８１、及び、２８３は、それぞれ、変圧器３０１から端点３０３、３０５、及び、変圧器３０７から端点３０９、３１１に送る交流電流を平衡にする。よって、平衡回路２８１及び２８３は、複数のＣＣＦＬを駆動することが出来、これにより簡潔で経済的なＣＣＦＬの浮遊駆動装置を設計することができる。
【００１８】
図４は、本発明の実施例における平衡回路の数学モデルを示す。電源サプライ４０１は、電圧ＶＳを平衡回路４０３に出力する。平衡回路４０３は、インダクタ４０５とコンデンサ４０７からなる第一路径、及び、インダクタ４０９とコンデンサ４１１からなる第二路径を有する。ＣＣＦＬ４１３は、ノード４１５で、平衡回路４０３に接続され、ＣＣＦＬ４１７は、ノード４１９で平衡回路４０３に接続される。インダクタ４０５と４０９は、それぞれ、インダクタンスインピーダンスＺＳ１、及び、ＺＳ２を有する。コンデンサ４０７と４１１は、それぞれ、キャパシタンスインピーダンスＺＣ１、及び、ＺＣ２を有する。ＣＣＦＬ４１３、４１７は、それぞれ、等価インピーダンスＺＯ１、及び、ＺＯ２を有する。平衡回路４０３によりＣＣＦＬ４１３に出力される電流ｎＩＯ１は以下のような方程式で表示される。
【００１９】
【数１】
2006108073.tif 000003
【００２０】
これにより、インダクタ４０５、４０９、及び、コンデンサ４０７、及び、４１１のインピーダンス値を調整することにより、平衡回路４０３からＣＣＦＬ４１３、４１７に出力される電流は同一で、電流平衡の目的を達成する。
【００２１】
図５Ａ〜図５Ｆは、本発明の実施例であって、図４の数学モデルに基づく各種平衡回路を示す。図５Ａでは、平衡回路５０１はＣＣＦＬ５０３、５０５、及び、変圧器５０６の間に結合される。平衡回路５０１は、並列コンデンサ５０９により、ノード５０８で、変圧器５０６に連結されている。ノード５０８は、コンデンサ５０７、及び、インダクタ５１０により、ＣＣＦＬ５０３に連結され、コンデンサ５１１、及び、インダクタ５１３により、ＣＣＦＬ５０５に連結される。上述の方程式で表示されるように、コンデンサ５０７、５１１、及び、インダクタ５１０、５１３のインピーダンス値を調整することにより、平衡回路５０１は、平衡な電流をＣＣＦＬ５０３、５０５に出力することができる。
【００２２】
図５Ｂでは、平衡回路５１５が、ＣＣＦＬ５１７、５１９、及び、変圧器５２１間に結合されている。平衡回路５１５は、並列コンデンサ５２３により、ノード５２５で変圧器５２１に連結されている。ノード５２５は、コンデンサ５２９、及び、インダクタ５２７により、ＣＣＦＬ５１７に連結され、コンデンサ５３３、及び、インダクタ５３１により、ＣＣＦＬ５１９に連結されている。上述の方程式で表示されるように、コンデンサ５２９、５３３、及び、インダクタ５２７、５３１のインピーダンス値を調整することにより、平衡回路５１５は、平衡な電流をＣＣＦＬ５１７、５１９に出力することができる。
【００２３】
図５Ｃでは、平衡回路５３５が、ＣＣＦＬ５３７、５３９、及び、変圧器５４１間に結合されており、図５Ａの平衡回路５０１と類似しているが、並列コンデンサ５０９がない。変圧器５４１は、コンデンサ５４３、及び、インダクタ５４５により、ＣＣＦＬ５３７に連結され、コンデンサ５４７、及び、インダクタ５５１により、ＣＣＦＬ５３９に連結されている。上述の方程式で表示されるように、コンデンサ５４３、５４７、及び、インダクタ５４５、５５１のインピーダンス値を調整することにより、平衡回路５５３は、平衡な電流をＣＣＦＬ５３７、５３９に出力することができる。
【００２４】
図５Ｄでは、平衡回路５５３が、ＣＣＦＬ５５５、５５７、及び、変圧器５５９間に結合されて、図５Ｂの平衡回路５１５と類似しているが、並列コンデンサ５２３がない。変圧器５５９は、インダクタ５６１、及び、コンデンサ５６３により、ＣＣＦＬ５５５に連結され、インダクタ５６５、及び、コンデンサ５６７により、ＣＣＦＬ５５７に連結されている。上述の方程式で表示されるように、コンデンサ５６３、５６７、及び、インダクタ５６１、５６５のインピーダンス値を調整することにより、平衡回路５５３は、平衡な電流をＣＣＦＬ５５５、５５７に出力することができる。
【００２５】
図５Ｅは、コンデンサ５６９、５７１、及び、インダクタ５７３、５７５よりなる等価平衡回路を示す図で、電源入力ノード５７７、５７９、及び、変圧器５８１、５８３の間に結合されている。変圧器５８１、５８３は、更に、ＣＣＦＬ５８５、５８７、５８９、及び、５９１に連結されている。上述の方程式で示されるように、コンデンサ５６９、５７１、及び、インダクタ５７３、５７５のインピーダンス値を調整することにより、平衡回路５８１、５８３は、平衡な電流をＣＣＦＬ５８５、５８７、５８９、及び、５９１に出力することができる。
【００２６】
図５Ｆは、コンデンサ５９３、及び、インダクタ５９５よりなる等価平衡回路を示す図で、電源入力ノード６０９、６１１、及び、変圧器５９７、５９９の間に結合されている。変圧器５９７、５９９は、更に、ＣＣＦＬ６０１、６０３、６０５、及び、６０７に連結されている。上述の方程式で示されるように、コンデンサ５９３、及び、インダクタ５９５のインピーダンス値を調整することにより、変圧器５９７、５９９は、平衡な電流をＣＣＦＬ６０１、６０３、６０５、及び、６０７に出力することができる。
【図面の簡単な説明】
【００２７】
【図１】公知の冷陰極蛍光ランプを示す図である。
【図２Ａ】本発明の実施例によるＣＣＦＬの浮遊駆動装置を示す図である。
【図２Ｂ】本発明の実施例によるＣＣＦＬの浮遊駆動装置を示す図である。
【図２Ｃ】本発明の実施例によるＣＣＦＬの浮遊駆動装置を示す図である。
【図２Ｄ】本発明の実施例によるＣＣＦＬの浮遊駆動装置を示す図である。
【図３Ａ】本発明の他の実施例である平衡回路を有するＣＣＦＬの浮遊駆動装置を示す図である。
【図３Ｂ】本発明の他の実施例である平衡回路を有するＣＣＦＬの浮遊駆動装置を示す図である。
【図３Ｃ】本発明の他の実施例である平衡回路を有するＣＣＦＬの浮遊駆動装置を示す図である。
【図３Ｄ】本発明の他の実施例である平衡回路を有するＣＣＦＬの浮遊駆動装置を示す図である。
【図４】本発明の実施例による平衡回路の数学モデルである。
【図５Ａ】本発明のもう一つの実施例であって、図４で示される数学モデルに基づく各種平衡回路の設計を示す図である。
【図５Ｂ】本発明のもう一つの実施例であって、図４で示される数学モデルに基づく各種平衡回路の設計を示す図である。
【図５Ｃ】本発明のもう一つの実施例であって、図４で示される数学モデルに基づく各種平衡回路の設計を示す図である。
【図５Ｄ】本発明のもう一つの実施例であって、図４で示される数学モデルに基づく各種平衡回路の設計を示す図である。
【図５Ｅ】本発明のもう一つの実施例であって、図４で示される数学モデルに基づく各種平衡回路の設計を示す図である。
【図５Ｆ】本発明のもう一つの実施例であって、図４で示される数学モデルに基づく各種平衡回路の設計を示す図である。
【符号の説明】
【００２８】
１、１０１、１１７、１１９、１３１、１３７、１４４、１４９、４１３、４１７、２０３、２０５、２１９、２２１、２２３、２２５、２２７、２２９、２５５、２５７、２５９、２６１、２８５、２８７、２８９、２９１、４１３、４１７、５０３、５０５、５１７、５１９、５３７、５３９、５５５、５５７、５８５、５８７、５８９、５９１、６０１、６０３、６０５、６０７  ＣＣＦＬ
３  長さ
５  光暗領域
９  第一端
１１  相対端
１３  接地
１５  辺縁
１０３、１０５、１２３、１２５、１２７、１２９、１３３、１３５、１３９、１４１、１４５、１４７、１５１、１５５、２０７、２１１、２１５、２１７、２３１、２３３、２４３、２４５、２４７、２４９、２６３、２６５、２６７、２６９、２７３、２７５、２７７、２７９、２９３、２９５、２９７、２９９、３０３、３０５、３０９、３１０、３１１  端点
７、１１３、１１５、１２１、１２２、１４３、１５３、１５７、２０９、２１３、２３５、２４１、２７１、３０１、３０７、５０６、５２１、５４１、５５９、５８１、５８３、５９７、５９９  変圧器
４０１  電源サプライ
４０５、４０９、５１０、５１３、５２７、５３１、５４５、５５１、５６１５６５、５７３、５７５、５９５  インダクタ
４０７、４１１、５０７、５０９、５１１、５２３、５２９、５３３、５４３５４７、５６３、５６７、５６９、５７１、５９３  コンデンサ
２０１、２１９、２２１、２５１、２５３、２８１、２８３、４０３、５０１、５１５、５３５、５５３、５８１、５８３  平衡回路
４１５、４１９、５０８、５２５  ノード
５７７、５７９、６０９、６１１  電源入力ノード
【図１】
2006108073.tif 000004
【図２Ａ】
2006108073.tif 000005
【図２Ｂ】
2006108073.tif 000006
【図２Ｃ】
2006108073.tif 000007
【図２Ｄ】
2006108073.tif 000008
【図３Ａ】
2006108073.tif 000009
【図３Ｂ】
2006108073.tif 000010
【図３Ｃ】
2006108073.tif 000011
【図３Ｄ】
2006108073.tif 000012
【図４】
2006108073.tif 000013
【図５Ａ】
2006108073.tif 000014
【図５Ｂ】
2006108073.tif 000015
【図５Ｃ】
2006108073.tif 000016
【図５Ｄ】
2006108073.tif 000017
【図５Ｅ】
2006108073.tif 000018
【図５Ｆ】
2006108073.tif 000019